(57)【要約】【課題】太陽光あるいは高熱作業場所等から人体に熱照射される熱影響を軽減する熱遮蔽用着衣を得る。【解決手段】撥水性を有すると共に気体の通過が自在な撥水部材３と、毛管現象により水を吸引して気体の通過が自在な吸水部材５と、貯水可能に形成されて吸水部材側に配置された貯水袋６と、毛管現象により貯水袋６に貯水された水８を吸水部材５に供給する毛管部材７とで構成した。【選択図】          図１
2004339670.tif 000002
【特許請求の範囲】
【請求項１】
撥水性を有すると共に気体の通過が自在で人体側に配置される撥水部材と、この撥水部材の上記人体とは反対側になる様に配置され、毛管現象により水を吸引して気体の通過が自在な吸水部材と、貯水可能に形成されて上記撥水部材とは反対側の上記吸水部材側に配置された貯水袋と、一端が上記貯水袋内に配置され他端が上記吸水部材と当接する様に配置されて毛管現象により上記貯水袋に貯水された水を上記吸水部材に供給する毛管部材とで構成されたことを特徴とする熱遮蔽用着衣。
【請求項２】
請求項１において、上記貯水袋は水を通さないが水蒸気の透過が可能な透湿布で形成されていることを特徴とする熱遮蔽用着衣。
【発明の詳細な説明】
【０００１】
【発明の属する技術分野】
この発明は、例えば太陽光あるいは高熱作業場所等の熱源から人体に熱照射される熱影響を抑制する熱遮蔽用着衣に関するものである。
【０００２】
【従来の技術】
太陽光の熱照射による熱影響を抑制する方法として着衣内温度上昇を抑える繊維および製造方法が特開２００２−１６１４７３号公報に開示されている。
これは、屈折率が異なる２種以上の無機系化合物粒子あるいは有機系化合物粒子を繊維に固着させて太陽光を繊維上で散乱させて、着衣内温度の上昇を抑えようとしたものである。図７は上記無機系化合物粒子を繊維に固着させて太陽熱遮蔽性能の測定結果を示したものである。
図７において、実施例１のサンプルは綿布に無機系化合物粒子を固着させたもの、比較例１は綿糸に比較用に実施例１とは別の処理を施したもの，比較例２は実施例１と同じ綿布を単体で比較試験したものである。この結果により実施例１は比較例１、２に対し太陽熱遮蔽性能に優れているとしている。
【０００３】
【発明が解決しようとする課題】
従来の着衣内温度の上昇を抑える繊維の熱遮蔽効果は以上の様に繊維表面で散乱させることによって熱侵入を抑制しようとするものである。しかし、図７に示される様に熱照射に対して温度上昇は若干抑制されてはいるが、熱照射が継続すれば温度も上昇し、十分な熱遮蔽が出来ないという問題点があった。
この発明は、熱照射による熱を強制的に熱放散させることによって温度上昇を抑え、人体への熱影響を軽減しようとするものである。
【０００４】
【課題を解決するための手段】
本発明に関する熱遮蔽用着衣は、撥水性を有すると共に気体の通過が自在で人体側に配置される撥水部材と、この撥水部材の人体とは反対側になる様に配置され、毛管現象により水を吸引して気体の通過が自在な吸水部材と、貯水可能に形成されて撥水部材とは反対側の吸水部材側に配置された貯水袋と、一端が貯水袋内に配置され他端が吸水部材と当接する様に配置されて毛管現象により貯水袋に貯水された水を吸水部材に供給する毛管部材とで構成したものである。
また、貯水袋は水を通さないが水蒸気の透過が可能な透湿布で形成したものである。
【０００５】
【発明の実施の形態】
実施の形態１
図１は実施の形態１を示す構成図、図２および図３は図１の要部を示す断面図である。図１および図２において、１は太陽光や高熱作業場所などから熱照射を受ける人体である。２は熱遮蔽用着衣で、以下の３〜１１で構成されている。３は柔軟性および撥水性を有するポリプロピレン、ポリエチレン等の化学繊維からなる撥水部材で、人体１側になる様に配置されて内外面に対して矢印４の様にほぼ垂直方向に気体の通過が自在となる様に２０〜３０メッシュの網目状の部材で構成されている。５は撥水部材３の人体１側とは反対側になるように配置された２０〜３０メッシュの網目状の吸水部材で、毛管現象による吸水能力が大きい植物繊維等で構成されている。吸水部材５は撥水部材３と同様に内外面に対して矢印４の様にほぼ垂直方向に気体の通過が自在である。６は熱遮蔽用着衣２に取り付けられた貯水袋で、図３に断面構成図を示す。図３において、７は毛管現象により水を吸引する毛管部材で、例えば布状の植物繊維などにより貯水袋６の内面に添わせて配置している。８は貯水袋６の内部に貯水された水、９は細孔で、毛管部材７の端部を貯水袋６の内側から外部に引き出して熱遮蔽用着衣２の吸水部材５に当接させている。１０は給水口で、継続的に貯水袋６を使用する場合は外部から給水できる様にしている。１１は集水帯で、吸水部材５を浸透して降下してきた水を集水している。
【０００６】
次に本発明の作用について述べる。図１から図３において、貯水袋６に貯水された水８は毛管部材７の毛管現象により引き出されて吸水部材５の上部から全面に浸透していく。この時、吸水部材５と人体１の間には撥水部材３が介在して水が人体１側に浸透することを防止しているため、人体１が濡れるなど水の影響を受けることは無い。
貯水袋６に貯水された水８の水位が低下して細孔９の位置が水面より高くなっても、貯水袋６の内部に配置された毛管部材７の毛管現象によって水が引き上げられ、吸水部材５に水の浸透による給水が行われる。
吸水部材５の外面に太陽光、または高熱作業場所などから熱照射を受けた場合には吸水部材５に水が浸透しているため、水は蒸発潜熱を吸熱して蒸発する。これによって熱照射によって受けた熱は熱放散するため、人体１の受ける熱影響を軽減することができる。
吸水部材５の上部から給水されて全面に浸透した水は熱照射を受けて蒸発し、余剰の水は吸水部材５の下部に設けられた集水帯１１に集められ、適宜排水される。また、集水帯１１の部材を水は通さないが水蒸気は透過可能な透湿布で形成し、吸水部材５を降下して集水された水を自然蒸発で放散させてもよい。
貯水袋６が外面から熱照射されると貯水袋６内の水８は熱を吸収して水蒸気を生成する。貯水袋６を形成する部材を、水を通さないが水蒸気の透過が可能な透湿布を使用して、生成された水蒸気を貯水袋６の壁面を通して外気に放散させることによって熱照射による貯水袋６の温度上昇を抑制する様にしてもよい。
【０００７】
図４は熱遮蔽用着衣２の熱遮蔽効果の評価試験装置（ａ）、および評価試験結果（ｂ）を示す説明図である。図４において、評価試験装置（ａ）は次の１２〜１６で構成されている。１２は人体１を模擬した受熱面、１３は熱遮蔽用着衣を形成する着衣試験片、１４は着衣試験片１３に水を給水するための給水手段、１５は熱照射体である。着衣試験片１３は図２と同じ構成で、撥水部材３を受熱面１２の表面側に、吸水部材５を熱照射体１５に向けて貼り付けられ、給水手段１４からの水が吸水部材５に給水され、着衣試験片１３の外面に浸透する様に形成されている。受熱面１２から一定距離をおいて熱照射体１５が配置され、受熱面１２に太陽光強度と同等の熱照射１５ａが行われる。１６は受熱面１２の中心部に取り付けられた熱電対で、受熱面１２が熱照射体１５から熱照射１５ａを受けた時の温度変化が測定される。
評価試験結果（ｂ）において、条件１は着衣試験片１３を受熱面１２に取り付けずに裸面の状態で熱照射した場合、条件２は着衣試験片１３を受熱面１２に取り付け、着衣試験片１３に水を浸透させない状態で熱照射した場合、条件３は条件２の状態で水を浸透させた場合、条件４は条件３に加えて着衣試験片１３の表面に通風した場合を示したものである。
これから条件１と条件２では受熱面の温度上昇は殆ど同一で、着衣試験片１３には熱遮蔽効果は無く、条件３の着衣試験片１３に水を浸透させた場合には熱遮蔽効果が現われ、表面に通風した場合はさらに大きな熱遮蔽効果が現われることを示している。
【０００８】
実施の形態１は、以上の様に熱遮蔽用着衣２の表面に水の浸透した層を形成することにより、人体１が水で濡れること無く、太陽光などの熱照射を受けても外気の間で通気を保ちながら熱遮蔽効果を得ることが出来る。
また、貯水袋６を形成する部材を、水を通さないが水蒸気の透過が可能な透湿布を使用し、発生する水蒸気を外気に放散させることにより熱照射による貯水袋６の温度上昇を抑制することが出来る。
また、貯水袋６は熱遮蔽用着衣２に取り付けられているため給水のために人体１が拘束されることは無く、自由な行動が可能となる。
さらに、熱遮蔽用着衣２は、気体の通過が自在になる様に構成されているため、人体１は外気と通気が保たれ着用時に蒸れを防止することが出来る。
実施の形態１では、熱遮蔽用着衣２の肩部に貯水袋６を取り付けた場合について述べたが、一定の場所で作業する様な場合には外部から管路を熱遮蔽用着衣２に連結して給水するようにしても同等の効果が期待できる。
また、細孔９は一箇所に設けた場合について述べたが、複数箇所に設け熱照射量に合せて使用する細孔数を変えても、また、細孔９に絞り機構を付加して吸水部材５への給水量を加減するようにしても同等の効果が期待できる。
さらに、熱遮蔽用着衣２を人体１の上半身に着用した場合について述べたが、下半身、あるいは帽子などに適用しても同様の熱遮蔽効果が期待できる。
【０００９】
実施の形態２
図５は実施の形態２を示す構成図、図６は図５の要部を示す断面図である。図５および図６において、１、３〜６、１１は実施の形態１と同等のものである。１７は実施の形態２による熱遮蔽用着衣、１８は撥水性の材質で構成された第２の撥水部材で、柔軟性に富み撥水性を有するポリプロピレン、ポリエチレンなどの化学繊維で構成され、吸水部材５を挟んで撥水部材３と反対側に配置されている。網目の大きさは気体の通過が自在となるように２０メッシュより大きい網目のものが望ましい。第２の撥水布１８を最外層にして吸水部材５と撥水部材３を重ね合わせ撥水部材３を人体１側にして熱遮蔽用着衣１７を形成している。
【００１０】
次に本発明の作用について述べる。図５および図６において、貯水袋６から毛管現象により引き出された水は吸水部材５の上部から全面に浸透していく。この時、吸水部材５と人体１の間には撥水部材３が介在して水が内部に浸透することを防止しているため、人体１が水の影響を受けることは無い。
第２の撥水部材１８を通して吸水部材５に太陽光、あるいは高熱作業場所などから熱照射を受けた場合には吸水部材５には水が浸透しているため、水は蒸発潜熱を吸収して蒸発する。これによって熱照射で受けた熱は水の蒸発によって熱放散するため人体１の受ける熱影響を軽減することができる。
吸水部材５の上部から給水されて全面に浸透した水は熱照射による熱を受けて蒸発し、余剰の水は吸水部材５の下部に設けられた集水帯１１に集められ、適宜排水される。また、集水帯１１の部材を水は通さないが水蒸気は透過可能な透湿布で形成することにより、吸水部材５を降下して集水された水を自然蒸発で放散させる様にしてもよい。
熱遮蔽用着衣１７は、最外層に第２の撥水部材１８を配置することによって、例えば熱遮蔽用着衣１７を纏って作業する場合に、吸水部材５が外部と接触して外部に対して水の影響を出すことを防止している。
実施の形態２は、以上の様に熱遮蔽用着衣１７を纏って作業しても外部への水の影響を防止しながら人体１に対する熱遮蔽が可能となる。
実施の形態２では、第２の撥水部材１８を吸水部材５の外面の全面に取り付けた場合について述べたが、部分的に必要とする場所に取り付けるようにしても同等の効果が期待できる。
【００１１】
【発明の効果】
この発明によれば、熱照射を受ける人体１に対し、貯水袋６を熱遮蔽用着衣２に取り付けて吸水部材５への給水を行い水の蒸発潜熱で熱放散させるため、人体１の行動を束縛することなく熱影響を軽減することが出来る。
また、貯水袋６を形成する部材を、水を通さないが水蒸気の透過が可能な透湿布を使用し、発生する水蒸気を外気に放散させることにより熱照射による貯水袋６の温度上昇を抑制することが出来る。
【図面の簡単な説明】
【図１】本発明に係る実施の形態１を示す構成図である。
【図２】本発明に係る実施の形態１の要部を示す断面図である。
【図３】本発明に係る実施の形態１の要部を示す断面図ある。
【図４】本発明に係る実施の形態１の評価試験の説明図である。
【図５】本発明に係る実施の形態２を示す構成図である。
【図６】本発明に係る実施の形態２の要部を示す断面図である。
【図７】従来の発明の評価試験の説明図である。
【符号の説明】
１  人体、２，１７  熱遮蔽用着衣、３  撥水部材、５  吸水部材、６  貯水袋、７  毛管部材、８  水。
【図１】
2004339670.tif 000003
【図２】
2004339670.tif 000004
【図３】
2004339670.tif 000005
【図４】
2004339670.tif 000006
【図５】
2004339670.tif 000007
【図６】
2004339670.tif 000008
【図７】
2004339670.tif 000009